(57)【要約】【課題】  貫通孔とこれに挿通される貫通体とで形成される開口部に隙間が生じることを抑制することができるとともに、作業内容を簡略化して作業時間を短縮させることのできる貫通孔閉塞具を提供する。【解決手段】  区画体Ｗ側に属する貫通孔Ｈとこれに挿通される貫通体Ｋの外周面とで形成される開口部Ｈａ又は貫通体Ｋの開口部Ｈａ近傍箇所に径方向に積層した状態で装備可能で、且つ、径方向が縮変形可能な複数の閉塞材２と、積層された状態の前記複数の閉塞材２を隣接層間での周方向相対移動を許容する状態で拘束する拘束手段１とが備えられている。【選択図】        図１
2007032601.tif 000002
【特許請求の範囲】
【請求項１】
区画体側に属する貫通孔とこれに挿通される貫通体の外周面とで形成される開口部又は貫通体の開口部近傍箇所に径方向に積層した状態で装備可能で、且つ、径方向が縮変形可能な複数の閉塞材と、積層された状態の前記複数の閉塞材を隣接層間での周方向相対移動を許容する状態で拘束する拘束手段とが備えられている貫通孔閉塞具。
【請求項２】
前記拘束手段が、前記閉塞材を積層した状態で内包可能で、且つ、この閉塞材よりも周方向長さの大きな袋状体である請求項１記載の貫通孔閉塞具。
【請求項３】
前記袋状体が防水性素材で構成されているとともに、この袋状体における前記閉塞材挿入用の挿入口が、その開口縁部を重合させることにより閉止可能に構成されている請求項２記載の貫通孔閉塞具。
【請求項４】
前記閉塞材が、耐火性材料を主成分に組成されている請求項１〜３のいずれか１項に記載の貫通孔閉塞具。
【請求項５】
前記閉塞材には、熱膨張性材料が含有されている請求項１〜４のいずれか１項に記載の貫通孔閉塞具。
【請求項６】
前記閉塞材には、防音性材料が含有されている請求項１〜５のいずれか１項に記載の貫通孔閉塞具。
【請求項７】
前記閉塞材が、気泡構造の発泡体である請求項１〜６のいずれか１項に記載の貫通孔閉塞具。
【請求項８】
前記閉塞材の周方向長さが、前記開口部に装備された状態でその両端部同士が周方向から当接可能な長さで形成されている請求項１〜７のいずれか１項に記載の貫通孔閉塞具。
【請求項９】
請求項１〜８のいずれか１項に記載の貫通孔閉塞具が、区画体側に属する貫通孔とこれに挿通される貫通体の外周面とで形成される開口部又は貫通体の開口部近傍箇所に装備されている貫通孔閉塞構造。
【発明の詳細な説明】
【技術分野】
【０００１】
本発明は、壁や床などの区画体に形成された貫通孔や区画体に貫通固定された金属製スリーブをもって形成される貫通孔など、区画体側に属する貫通孔とこれに挿通されるケーブル等の貫通体の外周面とで形成される開口部又は貫通体の開口部近傍箇所に装備される貫通孔閉塞具及びそれを用いた貫通孔閉塞構造に関する。
【背景技術】
【０００２】
従来、壁や床などの区画体に形成された貫通孔や区画体に貫通固定された金属製スリーブをもって形成される貫通孔など、区画体側に属する貫通孔とこれに挿通されるケーブル等の貫通体の外周面とで形成される開口部用の貫通孔閉塞具としては、軟化状態で充填作業を行うことができるために開口部の形状に合わせて確実に閉塞できる硬化性パテが多く用いられてきたが、硬化性パテは軟化状態での作業が難しいために作業者によって閉塞精度にバラツキが生じたり、硬化するまでに一定の時間の経過が必要なために貫通孔閉塞作業の時間を短縮することができないという問題があり、これらの問題を解消するために、
（１）区画体側に属する貫通孔に挿通される貫通体の外周面に沿って曲げ変形可能で、且つ、径方向が縮変形可能な角棒状の貫通孔閉塞具。
（２）区画体側に属する貫通孔に挿通される貫通体の外周面に沿って複数回に亘って巻回可能で、且つ、径方向に縮変形可能な薄帯状の貫通孔閉塞具（下記特許文献１参照）。
上記（１）、（２）に記載の貫通孔閉塞具が提案されている。
【特許文献１】実開平２−１１６０８６号公報
【発明の開示】
【発明が解決しようとする課題】
【０００３】
これらの貫通孔閉塞具のうち、前記（１）の場合では、貫通孔閉塞具が角棒状に成形されているために閉塞作業時に軟化状態で変形させることがないから、硬化性パテを用いる場合に比して作業者による閉塞精度のバラツキを抑制することができるとともに、角棒状の貫通孔閉塞具を貫通体の外周面に沿って曲げ変形させた状態で貫通孔と貫通体の外周面とで形成される円環状の開口部に挿入する、又は開口部の外端面に当て付けて固定するだけで貫通孔閉塞作業を完了することができ、硬化性パテを用いる場合に比して作業内容を簡略化して作業時間を短縮することができるという利点があるものの、貫通孔閉塞具を貫通体の外周面に沿って曲げ変形させた際には、貫通孔閉塞具の内側部分と外側部分との曲径（又は、曲率）の相違によって、内側部分に周方向圧縮力が作用して内側部分が周方向に縮変形されるとともに、外側部分に周方向引張力が作用して外側部分が周方向に伸変形されるために、貫通孔閉塞具の径方向での縮変形性能を十分に発揮させることができなくなり、例えば、貫通体の外周面が円筒状曲面でない場合や、また、貫通体の外周面が個々には円筒状曲面であっても、複数本の貫通体が集合配設されることによって凹凸が発生している場合において、貫通孔閉塞具を貫通体に押し付けて接触部を縮変形させていくことで貫通孔閉塞具を貫通体の外周面のほぼ全面に接触させようとしても、内側部分への周方向圧縮力により既に周方向に縮変形している部分を径方向に十分に縮変形させることができず、この部分を貫通体の外周面に接触させることができないために開口部に隙間が生じてしまう可能性がある。
【０００４】
一方、前記（２）の場合では、貫通孔閉塞具が薄帯状に成形されているために閉塞作業時に軟化状態で変形させることがないから、硬化性パテを用いる場合に比して作業者による閉塞精度のバラツキを抑制することができるとともに、貫通体の外周面に巻回させて積層するが故に、積層された状態の貫通孔閉塞具の内側部分と外側部分の曲径が異なっても、前記（１）の場合に比して作用する周方向圧縮力を小さくすることができ、貫通孔閉塞具を貫通体に押し付けて接触部を径方向に縮変形させていくことにより貫通孔閉塞具を外周面のほぼ全面に接触させ易いという利点があるものの、貫通孔閉塞作業においては薄帯状の貫通孔閉塞具を貫通体の外周面に沿って、その厚みが開口部の径以上になるまで複数回に亘って巻回させなければならず、しかも、この貫通孔閉塞具を貫通孔の内周面と貫通体の外周面の間に介装する貫通孔閉塞工法に用いる場合には、先に貫通体に巻回させて積層させてから貫通体を貫通孔内に挿通しなければならならないことから、前記（１）の場合に比して、作業内容が複雑化して作業時間が長くなってしまう。
【０００５】
本発明は、上述の実情に鑑みて為されたものであって、その主たる課題は、貫通孔とこれに挿通される貫通体とで形成される開口部に隙間が生じることを抑制することができるとともに、作業内容を簡略化して作業時間を短縮させることのできる貫通孔閉塞具を提供する点にある。
【課題を解決するための手段】
【０００６】
本発明の第１特徴構成は、貫通孔閉塞具に係り、その特徴は、区画体側に属する貫通孔とこれに挿通される貫通体の外周面とで形成される開口部又は貫通体の開口部近傍箇所に径方向に積層した状態で装備可能で、且つ、径方向が縮変形可能な複数の閉塞材と、積層された状態の前記複数の閉塞材を隣接層間での周方向相対移動を許容する状態で拘束する拘束手段とが備えられている点にある。
【０００７】
つまり、この構成であれば、径方向に積層された閉塞材を曲げ変形させて開口部又は貫通体の開口部近傍箇所に装備させた際に各層が隣接層間で周方向相対移動を行うことができるが故に、角棒状に形成された従来技術のように内側部分への周方向圧縮力、及び外側部分への周方向引張力が作用することがなく、貫通体の外周面に押し付けられた場合に径方向での縮変形性能を十分に発揮することができるから、貫通体の外周面の形状に対応させて変形させることができる。
【０００８】
しかも、複数の閉塞材が径方向に積層した状態で拘束されているから、例えば、複数の閉塞材を拘束していない場合のように夫々の閉塞材を別々に開口部に装備させる必要がなく、また、薄帯状に形成された従来技術のように周方向に複数回に亘って巻回させて積層させる必要もない。
【０００９】
従って、開口部に隙間が生じることを抑制することができるとともに、作業内容を簡略化して作業時間を短縮させることができる。
【００１０】
本発明の第２特徴構成は、第１特徴構成の実施において好適な構成であり、その特徴は、前記拘束手段が、前記閉塞材を積層した状態で内包可能で、且つ、この閉塞材よりも周方向長さの大きな袋状体である点にある。
【００１１】
つまり、この構成であれば、閉塞材の周囲を被覆する袋状体によって積層された状態の複数の閉塞材を隣接層間の相対移動を許容する状態に拘束することができながらも、閉塞材を装備させる際に閉塞材が貫通孔や貫通体に接触して損傷することを抑制することができ、さらに、閉塞材を直接手で触れることなく貫通孔閉塞作業を行うことができるから、閉塞材の科学的性質等に係わらず貫通孔閉塞作業を行うことができ、貫通孔閉塞作業を簡略化することができる。
【００１２】
本発明の第３特徴構成は、第２特徴構成の実施において好適な構成であり、その特徴は、前記袋状体が防水性素材で構成されているとともに、この袋状体における前記閉塞材挿入用の挿入口が、その開口縁部を重合させることにより閉止可能に構成されている点にある。
【００１３】
つまり、この構成であれば、積層された状態の複数の閉塞材を防水性の袋状体に内包させた状態で袋状体における閉塞材挿入用の挿入口を閉止することができるから、水が袋状体の内部に侵入して閉塞材が水に濡れることを抑制することができるとともに、貫通孔とこれに挿通される貫通体とで形成される開口部又は貫通体の開口部近傍箇所に装備させた際に開口部内に水が進入することを抑制することができるから、貫通孔を通して水が区画体側に進入することを抑制することができる。
【００１４】
従って、貫通孔閉塞具、及び区画体が水を含むことによる区画体の防音性能及び断熱性能の低下を抑制することができる。
【００１５】
本発明の第４特徴構成は、第１〜第３特徴構成のいずれか１つの特徴構成の実施において好適な構成であり、その特徴は、前記閉塞材が、耐火性材料を主成分に組成されている点にある。
【００１６】
つまり、この構成であれば、耐火性材料を主成分とした貫通孔閉塞具によって、貫通孔とこれに挿通される貫通体とで形成される開口部に装備させた際に開口部内に火炎が進入することを抑制することができるから、貫通孔による区画体の耐火性能の低下を抑制することができる。
【００１７】
本発明の第５特徴構成は、第１〜第４特徴構成のいずれか１つの特徴構成の実施において好適な構成であり、その特徴は、前記閉塞材には、熱膨張性材料が含有されている点にある。
【００１８】
つまり、この構成であれば、貫通孔とこれに挿通される貫通体とで形成される開口部に装備させた際に、火炎や熱によって貫通体が溶融又は焼失して、貫通孔内に隙間が発生しても、閉塞材が熱膨張して、その隙間を閉塞することができるから、火炎や熱が貫通孔を通して区画体側に侵入することを抑制することができ、貫通孔による区画体の耐火性能の低下を一層抑制することができる。
【００１９】
本発明の第６特徴構成は、第１〜第５特徴構成のいずれか１つの特徴構成の実施において好適な構成であり、その特徴は、前記閉塞材には、防音性材料が含有されている点にある。
【００２０】
つまり、この構成であれば、貫通孔とこれに挿通される貫通体とで形成される開口部に装備させた際に、貫通孔を通して区画体側に音が漏洩することを抑制することができる。
【００２１】
本発明の第７特徴構成は、第１〜第６特徴構成の実施において好適な構成であり、その特徴は、前記閉塞材が、気泡構造の発泡体である点にある。
【００２２】
つまり、この構成であれば、気泡構造特有の断熱性とクッション性によって、貫通孔とこれに挿通される貫通体とで形成される開口部に装備させた際に、貫通孔による区画体の断熱性能の低下を抑制することができるとともに、貫通体の振動を吸収することで振動が区画体に伝達することを抑制することができ、貫通体の振動による区画体からの騒音の発生を抑制することができる。
【００２３】
本発明の第８特徴構成は、第１〜第７特徴構成の実施において好適な構成であり、その特徴は、前記閉塞材の周方向長さが、前記開口部に装備された状態でその両端部同士が周方向から当接可能な長さで形成されている点にある。
【００２４】
つまり、この構成であれば、単一の貫通孔閉塞具を径方向に曲げ変形させた状態で貫通孔とこれに挿通される貫通体とで形成される開口部又は貫通体の開口部近傍箇所に装備させることで開口部を閉塞することができるから、例えば、複数の貫通孔閉塞具を用いて開口部を閉塞する場合に比して、貫通孔を閉塞するための作業内容を簡略化して作業時間を短縮させることができる。
【００２５】
本発明の第９特徴構成は、貫通孔閉塞構造に係わり、その特徴は、請求項１〜８のいずれか１項に記載の貫通孔閉塞具が、区画体側に属する貫通孔とこれに挿通される貫通体の外周面とで形成される開口部又は貫通体の開口部近傍箇所に装備されている点にある。
【００２６】
つまり、この構成であれば、簡単な作業内容で、且つ、短い作業時間で施工することができながらも、貫通孔とこれに挿通される貫通体の外周面とで形成される開口部に隙間が生じることを抑制して、貫通孔により区画体の性能の低下を抑制することができる。
【発明を実施するための最良の形態】
【００２７】
［第１実施形態］
図１〜図３は、例えば、図４〜図８に示すように壁Ｗや床などの区画体に形成された貫通孔や区画体に貫通固定された金属製スリーブＨ１をもって形成される貫通孔など、区画体側に属する貫通孔Ｈとこれに挿通されるケーブルＫ等の長尺の貫通体の外周面とで形成される環状の開口部Ｈａを閉塞するために、開口部Ｈａ又は貫通体の開口部Ｈａ近傍箇所に装備される貫通孔閉塞具Ａを示し、この貫通孔閉塞具Ａは、薄板状の複数の閉塞材２を厚み方向（貫通孔Ｈの径方向）に対象とする環状の開口部Ｈａの径方向長さよりも大きな径方向長さ（厚み）になるまで積層した状態で拘束袋１（拘束手段、及び袋状体の一例）に内包させてある。
【００２８】
前記閉塞材２は、耐火性材料、防音性材料の一例である断熱性を備えたロックウールを主体に、火災時に膨張するように熱膨張性材料の一例である未焼成バーミキュライト粉末を含有させて構成され、円環状に湾曲変形可能な可撓性と圧縮性が備えられている。そして、その幅ｄ２は、耐火や防音等の目的に合わせた適当幅で形成され、その長手方向長さ（周方向長さ）ｌは、径方向に積層した状態で貫通体の外周面に沿って円筒状に曲げ変形させた際に最内側層に位置する閉塞材２の長手方向両端部２ｄの端面同士が周方向から当接（接触）して貫通体の外周面を被覆できるように、貫通体の外周長さと同じ又は略同じ長さで形成されている。
【００２９】
前記拘束袋１は透光性不織布の内面に防水性材料の一例である透明のポリエチレンフィルムをラミネートして透光性、且つ、防水性を備えさせるとともに、一側面を開口させた挿入口１ａを除く接合部（収納空間周りの重合部分）を熱溶着して袋状に構成され、前記複数の閉塞材２を挿入口１ａを通じて内部に挿入した状態で挿入口１ａの開口縁部を重合させることにより挿入口１ａを閉止してあり、袋状体１の防水性により閉塞材２が水に濡れることを抑制するとともに、開口部Ｈａ又は貫通体の開口部Ｈａ近傍箇所に装備させた際に、袋状体１の透光性により内部の閉塞材２による開口部Ｈａの閉塞状態を確認できるようにしてある。
【００３０】
拘束袋１の径方向長さＤ１は、前記複数の閉塞材２の径方向長さｄ１よりも若干大なる長さで、且つ、その幅Ｄ２が、閉塞材２の幅ｄ２よりも若干大なる幅で形成されているとともに、閉塞材２を内包した状態で閉塞材２の長手方向両端部２ｄと拘束袋１の長手方向両端部との間に夫々余剰空間Ｓ１、Ｓ２が形成されるように、その長手方向長さＬが閉塞材２の長手方向長さｌよりも大なる長さで形成され、余剰空間Ｓ１、Ｓ２を用いて積層された状態の複数の閉塞材２が長手方向（周方向）に隣接する各層間で相対移動することを許容するとともに、余剰空間Ｓ１、Ｓ２に対応する拘束袋１の両側部分を貫通孔閉塞具Ａを取り扱うための握持部に兼用構成することにより、内包された閉塞材２に圧縮などの外力を加えることなく、開口部Ｈａ又は貫通体の開口部Ｈａ近傍箇所に装備させることを可能にして閉塞材２の損傷を抑制する。
【００３１】
次に、本発明の貫通孔閉塞具Ａの使用時の状態について、貫通孔閉塞具Ａを用いた貫通孔閉塞構造の例（使用例）を挙げて説明する。尚、便宜上、貫通孔閉塞具Ａを構成する複数の閉塞材のうち、使用時に最も内側に位置する閉塞材を内側層、最も外側に位置する層を外側層、それらの中間に位置する閉塞材を中間層として説明する。
【００３２】
（ア）使用例１
図４に示すように、区画体の一例である壁Ｗに形成された貫通孔Ｈの内周面と貫通体の一例である複数のケーブルＫの外周面との間の円環状の開口部Ｈａの両開口側に、夫々、貫通孔閉塞具ＡをケーブルＫの外周面に沿って円筒状に曲げ変形させてケーブルＫの外周面を被覆する状態で余剰空間Ｓ１、Ｓ２に対応する拘束袋１の両側部分を重ね合わせ、この状態で開口部Ｈａ内に外方から押し込んで貫通孔Ｈの内周面とケーブルＫの外周面との間に介装することで、貫通孔閉塞材Ａに径方向への圧縮力を作用させた状態で開口部Ｈａに装備させている。
【００３３】
このとき、前述のように貫通孔閉塞具Ａは開口部Ｈａの径方向長さよりも大なる径方向長さで構成されているから、貫通孔閉塞具Ａは貫通孔Ｈの内周面とケーブルＫの外周面とに挟まれて径方向に圧縮力が作用している。
【００３４】
図５に示すように、開口部Ｈａに装備された貫通孔閉塞具Ａは、その外側層２ａが中間層２ｂに比して曲径が大きくなるために（換言すれば、曲率が小さくなるために）中間層２ｂと同じ角度をカバーするための必要周方向長さが不足して、中間層２ｂに比して、その長手方向両端部２ｄが周方向中央寄りに相対移動しているとともに、内側層２ｃが中間層２ｂに比して曲径が小さくなるために（換言すれば、曲率が大きくなるために）中間層２ｂと同じ角度をカバーするための必要周方向長さが余剰して、中間層２ｂに比して、その長手方向両端部２ｄが周方向外方に相対移動しており、貫通孔閉塞具Ａには、貫通孔閉塞具Ａの径方向縮変形に対する拘束力となる周方向圧縮力や周方向引張力が作用していない状態にある。
【００３５】
そして、前述の径方向への圧縮力によって、貫通孔閉塞具Ａの貫通孔Ｈの内周面、及びケーブルＫの外周面の双方に接する部分（挟圧部２ｅ）が径方向に縮変形する一方で、貫通孔Ｈの内周面、又はケーブルＫの外周面の双方に接していない部分、或いは貫通孔Ｈの内周面、又はケーブルＫの外周面の一方に接する部分（非挟圧部２ｆ）には圧縮力が作用せず、非挟圧部２ｆは全く縮変形しないから、非挟圧部２ｆが貫通孔Ｈの内周面、及びケーブルＫの外周面に極力近づいた状態を保持して開口部Ｈａに隙間ができることを抑制する。
【００３６】
そのため、開口部Ｈａを通じて火炎、煙、水が壁Ｗ内、又は隣室側に進入すること、及び、音、熱が壁Ｗ又は隣室側に伝達することを抑制することができ、さらに、火災時には、閉塞材２に含有された未焼成バーミキュライト粉末の熱膨張により開口部Ｈａの隙間を確実に閉塞することができるとともに、ケーブルＫが火炎や熱によって融解又は焼失した際にも、その部分に熱膨張して進入することで貫通孔Ｈを実質的に閉塞することができる。
【００３７】
（イ）使用例２
図６に示すように、この使用例では、壁Ｗに形成された貫通孔Ｈの内周面とケーブルＫの外周面との間の円環状の開口部Ｈａの両開口側の外方近傍箇所で、夫々、貫通孔閉塞具ＡをケーブルＫの外周面に沿って円筒状に曲げ変形させてケーブルＫの外周面を被覆する状態で余剰空間Ｓ１、Ｓ２部分を重ね合わせてテープ等で仮止め固定し、壁Ｗに形成された貫通孔Ｈの外面（端面）に押し付けた状態で貫通孔Ｈの外面からケーブルＫの外周面に亘って貫通孔閉塞具Ａの外側面を被覆するように粘着性の拘束テープＴを周方向に巻き付けることにより、貫通孔閉塞材Ａに径方向への圧縮力を作用させた状態で開口部Ｈａの端面（開口部Ｈａ近傍箇所の一例）に装備させている。
【００３８】
前記拘束テープＴは、アルミ箔に断熱性を備えるガラスクロスをラミネートして形成した基材にアクリル系の接着層を設けて構成してある。
【００３９】
尚、開口部Ｈａの端面に装備された貫通孔閉塞具Ａの状態については、使用例１で説明した状態と同様であるから、その説明は省略する。
【００４０】
（ウ）使用例３
図７に示すように、この使用例では、壁Ｗに貫通固定された金属製スリーブ（金属製配設管）Ｈ１と、この金属製スリーブＨ１の両端部に螺合接続された貫通孔Ｈと同径又はほぼ同径の内径を備えた一対のケーブル保護用のブッシング（端末保護リング）Ｈ２とで構成された貫通孔Ｈの内周面とケーブルＫの外周面との間の略円環状の開口部Ｈａの両開口側に、夫々、貫通孔閉塞具ＡをケーブルＫの外周面に沿って曲げ変形させてケーブルＫの外周面を被覆する状態で余剰空間Ｓ１、Ｓ２に対応する拘束袋１の両側部分で重ね合わせ、外方から開口部Ｈａに押し込んで径方向に圧縮力を作用させた状態で貫通孔Ｈの内周面（詳しくはブッシングＨ２の内周面）とケーブルＫの外周面との間に介装することで、貫通孔閉塞具Ａを開口部Ｈａに装備させている。
【００４１】
尚、開口部Ｈａに装備された貫通孔閉塞具Ａの状態については、使用例１で説明した状態と同様であるから、その説明は省略する。
【００４２】
（エ）使用例４
図８に示すように、この使用例では、壁Ｗに貫通固定された金属製スリーブ（金属製配設管）Ｈ１と、この金属製スリーブＨ１の両端部に螺合接続された貫通孔Ｈと同径又はほぼ同径の内径を備えた一対のケーブル保護用のブッシング（端末保護リング）Ｈ２とで構成された貫通孔Ｈの内周面とケーブルＫの外周面との間の略円環状の開口部Ｈａの両開口側の外方で、夫々、貫通孔閉塞材ＡをケーブルＫの外周面に沿って曲げ変形させてケーブルＫの外周面を被覆する状態で余剰空間Ｓ１、Ｓ２に対応する拘束袋１の両側部分で重ね合わせてテープ等で仮止め固定し、貫通孔Ｈの端面（詳しくは、ブッシングＨ２の端面）に押し付けた状態で貫通孔Ｈの外面（詳しくは、ブッシングＨ２の外周面）からケーブルＫの外周面に亘って、貫通孔閉塞具Ａの外側面を被覆するように粘着性の拘束テープＴを周方向に巻き付けることにより、貫通孔閉塞材Ａに径方向への圧縮力を作用させた状態で開口部Ｈａの端面（開口部Ｈａ近傍箇所の一例）に装備させている。
【００４３】
尚、開口部Ｈａの端面に装備された貫通孔閉塞具Ａの状態については、使用例１で説明した状態と同様であるから、その説明は省略する。また、拘束テープＴについては、使用例２で説明した構成と同一であるから、その説明は省略する。
【００４４】
［第２実施形態］
前述の第１実施形態では、貫通孔閉塞具Ａを構成する複数の閉塞材２が、同一の形状に形成されていたが、夫々異なる形状に形成されていてもよい。
【００４５】
図９に示すように、この実施形態では、径方向に積層されている複数の閉塞材２が、内側層２ｃから外方に向かうに連れて、その層を構成している閉塞材２の長手方向長さｌを長くして形成されている。詳しくは、各層を形成する閉塞材２が、径方向に積層した状態でケーブルＫ等の貫通体の外周面に沿って曲げ変形させた際に長手方向両端部２ｄの端面同士が周方向から当接（接触）する長さで形成されている。
【００４６】
そのため、図１０に示すように、貫通孔閉塞具ＡをケーブルＫの外周面に沿って曲げ変形させた状態で円環状の開口部Ｈａに装備させた場合に、外側層２ａの長手方向両端部２ｄが周方向中間寄りに相対移動しても、長手方向長さｌを長く形成した分、外側層２ａの長手方向両端部２ｄがそれより内側の層の長手方向両端部２ｄよりも周方向中間部に移動することがなく、各層の長手方向両端部２ｄの端面同士が周方向から当接して各層が円環状になるから、開口部Ｈａに隙間ができることを一層抑制することができる。
【００４７】
尚、その他の構成は、第１実施形態で説明した構成と同一であるから、同一の構成箇所には、第１実施形態と同一の番号を付記してそれの説明は省略する。
【００４８】
［第３実施形態］
前述の第１実施形態では、貫通孔閉塞具Ａを構成する閉塞材２の長手方向長さｌが、ケーブルＫ等の貫通体の外周長さと同じ又は略同じ長さで形成されていたが、閉塞材２の長手方向長さｌを貫通体の外周長さよりも大なる長さで形成して、貫通孔閉塞具Ａの貫通体への巻回時に閉塞材２の両端側が径方向で重合するように構成してもよい。
【００４９】
この実施形態では、閉塞材２の長手方向長さｌが、貫通体の外周長さよりも大なる長さ、換言すれば、貫通孔閉塞具Ａを貫通体の外周面に沿って巻回させた際に、閉塞材２の長手方向両端部２ｄの一端側（巻回状態における外方側）の内側面と長手方向端部２ｄの他端側（巻回状態における内方側）の外側面又は長手方向中間部の外側面とが接触する長さで形成されている。
【００５０】
そのため、閉塞材２の長手方向両端部２ｄと拘束袋１の長手方向両端部との間の余剰空間Ｓ１、Ｓ２を用いて複数の閉塞材２の夫々を内側層２ｃから外方に向かうに連れて徐々に長手方向の一方側に移動させて複数の閉塞材２を側面視略平行四辺形状にした状態で、貫通孔閉塞具Ａを貫通体の外周面に沿って巻回させて円環状の開口部Ｈａに装備させることで、図１１、図１２に示すように、貫通孔閉塞具Ａの周方向の端部側（換言すれば、閉塞材２の長手方向端部２ｄ側）ほど閉塞材２の積層数を少なくして、貫通孔閉塞具Ａの周方向の端部側ほどその厚みを薄くすることができ、そのことで、貫通孔閉塞具Ａを円環状に沿い易くして円環状の開口部Ｈａに隙間ができることを一層抑制することができる。
【００５１】
尚、その他の構成は、第１実施形態で説明した構成と同一であるから、同一の構成箇所には、第１実施形態と同一の番号を付記してそれの説明は省略する。
【００５２】
［第４実施形態］
前述の各実施形態では、閉塞材２が耐火性材料、防音性材料の一例である断熱性を備えたロックウールを主体に構成されていたが、この実施形態では、閉塞材２が気泡構造の発泡体の一例であるポリスチレンフォームを主体に構成されている。
【００５３】
尚、その他の構成は、第１実施形態で説明した構成と同一であるから、同一の構成箇所には、第１実施形態と同一の番号を付記してそれの説明は省略する。
【００５４】
［その他の実施形態］
（１）前述の各実施形態では、貫通孔閉塞具Ａが、同一素材からなる閉塞材２の複数を積層していたが、貫通孔閉塞具Ａは、異なる種類の素材で構成した複数種の閉塞材２を積層してもよい。
【００５５】
（２）前述の各実施形態では、複数の閉塞材２を拘束する拘束手段として、閉塞材２よりも周方向長さを長くした拘束袋１を例示したが、例えば、径方向に積層された複数の閉塞材２の周囲を巻回して結束可能な紐状部材やベルト状部材などの長尺体であってもよい。要するに、積層された状態の複数の閉塞材２を隣接層間での周方向相対移動を許容する状態で拘束することができれば、どのような構成であってもよい。
【００５６】
（３）前述の各実施形態では、拘束袋１を透光性不織布と透明のポリエチレンフィルムとで構成して透光性にしていたが、拘束袋１は、どのような構成であってもよく、また、遮光性又は完全な透明にしていてもよい。
【００５７】
（４）前述の各実施形態では、拘束袋１が閉塞材２を挿入するための挿入口１ａを備えるように構成していたが、拘束袋１は、例えば、閉塞材２を包み込めるようにシート状に構成してもよく、要するに、開口部Ｈａに装備させる際に閉塞材２を内包させることができれば、どのような構成であってもよい。
【００５８】
（５）前述の各実施形態では、貫通孔閉塞具Ａを開口部Ｈａの両開口側に設けていたが、開口部Ｈａの一方の開口側だけに設けていてもよい。
【図面の簡単な説明】
【００５９】
【図１】本発明の貫通孔閉塞具の第１実施形態を示す斜視図
【図２】図１におけるＩ−Ｉ線断面図
【図３】図１におけるＩＩ−ＩＩ線断面図
【図４】本発明の貫通孔閉塞具の使用例１を示す側面断面図
【図５】本発明の貫通孔閉塞具の第１実施形態における使用時の状態を示す正面説明図
【図６】本発明の貫通孔閉塞具の使用例２を示す側面断面図
【図７】本発明の貫通孔閉塞具の使用例３を示す側面断面図
【図８】本発明の貫通孔閉塞具の使用例４を示す側面断面図
【図９】本発明の貫通孔閉塞具の第２実施形態を示す側面断面図
【図１０】本発明の貫通孔閉塞具の第２実施形態における使用時の状態を示す正面説明図
【図１１】本発明の貫通孔閉塞具の第３実施形態における使用時の状態を示す正面説明図
【図１２】本発明の貫通孔閉塞具の第３実施形態における使用時の状態を示す正面説明図
【符号の説明】
【００６０】
Ｗ        壁（区画体）
Ｈ        貫通孔
Ｈ１      貫通スリーブ（貫通孔）
Ｈ２      ブッシング（貫通孔）
Ｈａ      開口部
Ｋ        ケーブル（貫通体）
Ａ        貫通孔閉塞具
１        拘束袋（袋状体、拘束手段）
１ａ      挿入口
Ｌ        長手方向長さ（周方向長さ）
２        閉塞材
ｌ        長手方向長さ（周方向長さ）
２ｄ      端部
Ｔ        拘束テープ
【図１】
2007032601.tif 000003
【図２】
2007032601.tif 000004
【図３】
2007032601.tif 000005
【図４】
2007032601.tif 000006
【図５】
2007032601.tif 000007
【図６】
2007032601.tif 000008
【図７】
2007032601.tif 000009
【図８】
2007032601.tif 000010
【図９】
2007032601.tif 000011
【図１０】
2007032601.tif 000012
【図１１】
2007032601.tif 000013
【図１２】
2007032601.tif 000014